(57)【要約】【課題】適切なＡＢＬ（Automatic Brightness Limiter）ができるようにする。【解決手段】複数の自発光デバイスから構成される表示部と、複数の自発光デバイスの色毎に、または色の組み合わせ毎に電力を供給する複数の電力供給部を備える。または、表示部を複数の領域に分割し、領域毎に電力を供給する複数の電力供給部を備える。複数の電力供給部の個数に対応し、ＡＰＬ（Average Picture Level）を算出するＡＰＬ算出部と、ＡＰＬ算出部により算出されたＡＰＬ量に応じてＡＢＬを実行するＡＢＬ部が設けられる。本技術は、自発光デバイスを用いたパネルに適用できる。【選択図】図４
2012242486.tif 000002
【特許請求の範囲】
【請求項１】
複数の自発光デバイスから構成される表示部と、
前記複数の自発光デバイスの色毎に、または色の組み合わせ毎に電力を供給する複数の電力供給部と
を備える表示装置。
【請求項２】
前記表示部を複数の領域に分割し、前記領域毎にさらに前記電力供給部を備える
請求項１に記載の表示装置。
【請求項３】
前記複数の電力供給部の個数に対応し、ＡＰＬ（Average Picture Level）を算出するＡＰＬ算出部と、
前記ＡＰＬ算出部により算出されたＡＰＬ量に応じてＡＢＬ（Automatic Brightness Limiter）を実行するＡＢＬ部と
をさらに備える請求項１に記載の表示装置。
【請求項４】
複数の自発光デバイスから構成される表示部と、前記表示部に電力を供給する電源を備える表示装置の表示方法において、
前記電源が、前記複数の自発光デバイスの色毎に、または色の組み合わせ毎に備えられ、各電源からの電力の供給を制御する
ステップを含む表示方法。
【請求項５】
複数の自発光デバイスから構成される表示部と、前記表示部に電力を供給する電源を備える表示装置に、
前記電源が、前記複数の自発光デバイスの色毎に、または色の組み合わせ毎に備えられ、各電源からの電力の供給を制御する
ステップを含む処理を実行させるためのコンピュータ読み取り可能なプログラム。
【請求項６】
複数の自発光デバイスから構成される表示部と、
前記表示部を複数の領域に分割し、前記領域毎に電力を供給する複数の電力供給部と
を備える表示装置。
【請求項７】
前記複数の自発光デバイスの色毎に、または色の組み合わせ毎にさらに前記電力供給部を備える
請求項６に記載の表示装置。
【請求項８】
前記複数の電力供給部の個数に対応し、ＡＰＬ（Average Picture Level）を算出するＡＰＬ算出部と、
前記ＡＰＬ算出部により算出されたＡＰＬ量に応じてＡＢＬ（Automatic Brightness Limiter）を実行するＡＢＬ部と
をさらに備える請求項６に記載の表示装置。
【請求項９】
複数の自発光デバイスから構成される表示部と、前記表示部に電力を供給する電源を備える表示装置の表示方法において、
前記電源が、前記表示部を複数の領域に分割し、前記領域毎に備えられ、各電源からの電力の供給を制御する
ステップを含む表示方法。
【請求項１０】
複数の自発光デバイスから構成される表示部と、前記表示部に電力を供給する電源を備える表示装置に、
前記電源が、前記表示部を複数の領域に分割し、前記領域毎に備えられ、各電源からの電力の供給を制御する
ステップを含む処理を実行させるためのコンピュータ読み取り可能なプログラム。
【発明の詳細な説明】
【技術分野】
【０００１】
本技術は、表示装置、表示方法、並びにプログラムに関する。詳しくは、映像などを表示するパネルや電源の保護を適切に行うことが可能となる表示装置、表示方法、並びにプログラムに関する。
【背景技術】
【０００２】
ＬＥＤディスプレイなどの自発光表示デバイスを用いた自発光型表示ディスプレイでは、一般に、表示する映像の明るさの変動によって、ディスプレイの消費電力の変動が起こる。これは、明るい映像を表示するときには、より強く、あるいは、より多くの回数だけ発光させる必要があるために、表示部に流れる電流の量が多くなるからである。逆に、暗い映像を表示するときには、より弱く、あるいは、より少ない回数だけ発光させるために、表示部に流れる電流の量が少なくなるからである。
【０００３】
自発光型表示ディスプレイにおいて、省電力化を図る方法が提案されている（例えば、特許文献１参照）。特許文献１においては、映像信号の一画面を複数のブロックに分割して各ブロック内の映像信号の輝度の平均値を求めることで、画面内の局所コントラストを求め、この局所コントラストと予め与えられた基準値をもとに、電流制限量を求めることが提案されている。
【先行技術文献】
【特許文献】
【０００４】
【特許文献１】特開平１０−２１５４２４号公報
【発明の概要】
【発明が解決しようとする課題】
【０００５】
近年、ディスプレイの大型化、細密化が進んでいる。ディスプレイの大型化、細密化に伴い、消費電力が増える傾向にあり、さらなる消費電力の低減が求められ、より細かな電力の制御が望まれている。特許文献１においては、上記したように電流制限量を求めているが、１系統の電源を制御することで行うため、その１系統の電源への負荷が集中してしまう可能性がある。
【０００６】
自発光型表示ディスプレイは、上記したように、電源に対する電力負荷は表示絵柄に依存するため、その電力負荷の変動が激しくなる。そのような電力負荷の変動からパネルや電源を保護するために、ＡＢＬ（Automatic Brightness Limiter）によりパネル全体への輝度リミットが行われている。しかしながら、１系統の電源への負荷が集中してしまうと、このようなパネルや電源の保護が適切に行えない状況が発生する可能性がある。そこで、さらなるパネルや電源を保護する仕組みを設けることが望まれている。
【０００７】
本技術は、このような状況に鑑みてなされたものであり、消費電力を抑え、パネルや電源を保護する制御を行うことができるようにするものである。
【課題を解決するための手段】
【０００８】
本技術の一側面の第１の表示装置は、複数の自発光デバイスから構成される表示部と、前記複数の自発光デバイスの色毎に、または色の組み合わせ毎に電力を供給する複数の電力供給部とを備える。
【０００９】
前記表示部を複数の領域に分割し、前記領域毎にさらに前記電力供給部を備えるようにすることができる。
【００１０】
前記複数の電力供給部の個数に対応し、ＡＰＬ（Average Picture Level）を算出するＡＰＬ算出部と、前記ＡＰＬ算出部により算出されたＡＰＬ量に応じてＡＢＬ（Automatic Brightness Limiter）を実行するＡＢＬ部とをさらに備えるようにすることができる。
【００１１】
本技術の一側面の第１の表示方法は、複数の自発光デバイスから構成される表示部と、前記表示部に電力を供給する電源を備える表示装置の表示方法において、前記電源が、前記複数の自発光デバイスの色毎に、または色の組み合わせ毎に備えられ、各電源からの電力の供給を制御するステップを含む。
【００１２】
本技術の一側面の第１のプログラムは、複数の自発光デバイスから構成される表示部と、前記表示部に電力を供給する電源を備える表示装置に、前記電源が、前記複数の自発光デバイスの色毎に、または色の組み合わせ毎に備えられ、各電源からの電力の供給を制御するステップを含む処理を実行させるためのコンピュータ読み取り可能なプログラムである。
【００１３】
本技術の一側面の第１の表示装置、表示方法、プログラムにおいては、複数の自発光デバイスから構成される表示部の自発光デバイスの色毎に、または色の組み合わせ毎に電源が備えられる。
【００１４】
本技術の一側面の第２の表示装置は、複数の自発光デバイスから構成される表示部と、前記表示部を複数の領域に分割し、前記領域毎に電力を供給する複数の電力供給部とを備える。
【００１５】
前記複数の自発光デバイスの色毎に、または色の組み合わせ毎にさらに前記電力供給部を備えるようにすることができる。
【００１６】
前記複数の電力供給部の個数に対応し、ＡＰＬ（Average Picture Level）を算出するＡＰＬ算出部と、前記ＡＰＬ算出部により算出されたＡＰＬ量に応じてＡＢＬ（Automatic Brightness Limiter）を実行するＡＢＬ部とをさらに備えるようにすることができる。
【００１７】
本技術の一側面の第２の表示方法は、複数の自発光デバイスから構成される表示部と、前記表示部に電力を供給する電源を備える表示装置の表示方法において、前記電源が、前記表示部を複数の領域に分割し、前記領域毎に備えられ、各電源からの電力の供給を制御するステップを含む。
【００１８】
本技術の一側面の第２のプログラムは、複数の自発光デバイスから構成される表示部と、前記表示部に電力を供給する電源を備える表示装置に、前記電源が、前記表示部を複数の領域に分割し、前記領域毎に備えられ、各電源からの電力の供給を制御するステップを含む処理を実行させるためのコンピュータ読み取り可能なプログラムである。
【００１９】
本技術の一側面の第２の表示装置、表示方法、プログラムにおいては、複数の自発光デバイスから構成される表示部が複数の領域に分割され、領域毎に電源が備えられる。
【発明の効果】
【００２０】
本技術の一側面によれば、例えば、自発光デバイスを用いたディスプレイにおける消費電力を抑え、パネルや電源を保護することが可能となる。
【図面の簡単な説明】
【００２１】
【図１】自発光ディスプレイについて説明するための図である。
【図２】自発光ディスプレイについて説明するための図である。
【図３】ＡＢＬを実行する部分と電源について説明するための図である。
【図４】第１の実施の形態における電源の配置を示す図である。
【図５】第１の実施の形態におけるＡＢＬを実行する部分の構成例を示す図である。
【図６】第２の実施の形態における電源の配置を示す図である。
【図７】第２の実施の形態におけるＡＢＬを実行する部分の構成例を示す図である。
【図８】第３の実施の形態における電源の配置を示す図である。
【図９】第３の実施の形態におけるＡＢＬを実行する部分の構成例を示す図である。
【図１０】第４の実施の形態における電源の配置を示す図である。
【図１１】第４の実施の形態におけるＡＢＬを実行する部分の構成例を示す図である。
【図１２】第５の実施の形態における電源の配置を示す図である。
【図１３】第５の実施の形態におけるＡＢＬを実行する部分の構成例を示す図である。
【図１４】記録媒体について説明するための図である。
【発明を実施するための形態】
【００２２】
以下に、本技術の実施の形態について図面を参照して説明する。
【００２３】
以下に説明する本技術は、自発光デバイスで構成される自発光型ディスプレイに適用できる。また自発光型ディスプレイとしては、例えば、ＣＲＴ（Cathode Ray Tube）、プラズマディスプレイ、ＬＥＤ（Light Emitting Diode）ディスプレイ、フィールドエミッションディスプレイ、有機ＥＬディスプレイなどがある。ここでは、有機ＥＬデバイスを用いたパネル（以下、ＥＬパネルと称する）を例に挙げて説明する。まず、ＥＬパネルの基本となる構成と動作について説明する。
【００２４】
［自発光型ディスプレイの構成について］
図１は、基本となるＥＬパネルの構成例を示すブロック図である。図１のＥＬパネル１００は、Ｎ×Ｍ個の画素（画素回路）１０１−（１，１）乃至１０１−（Ｎ，Ｍ）が行列状に配置されている画素アレイ部１０２と、これを駆動する駆動部である水平セレクタ（ＨＳＥＬ）１０３、ライトスキャナ（ＷＳＣＮ）１０４、および電源スキャナ（ＤＳＣＮ）１０５とにより構成されている。なお、説明を簡単にするため、以下では、Ｎ，Ｍは、所定の偶数であるとして説明するが、これに限定されるものではない。
【００２５】
また、ＥＬパネル１００は、Ｍ本の走査線ＷＳＬ１０−１乃至１０−Ｍ、Ｍ本の電源線ＤＳＬ１０−１乃至１０−Ｍ、およびＮ本の映像信号線ＤＴＬ１０−１乃至１０−Ｎも有する。なお、以下において、走査線ＷＳＬ１０−１乃至１０−Ｍ、映像信号線ＤＴＬ１０−１乃至１０−Ｎ、画素１０１−（１，１）乃至１０１−（Ｎ，Ｍ）、または電源線ＤＳＬ１０−１乃至１０−Ｍのそれぞれを特に区別する必要がない場合、単に、走査線ＷＳＬ１０、映像信号線ＤＴＬ１０、画素１０１、または電源線ＤＳＬ１０と称する。
【００２６】
画素１０１−（１，１）乃至１０１−（Ｎ，Ｍ）のうちの第１行目の画素１０１−（１，１）乃至１０１−（Ｎ，１）は、走査線ＷＳＬ１０−１でライトスキャナ１０４と、電源線ＤＳＬ１０−１で電源スキャナ１０５とそれぞれ接続されている。また、画素１０１−（１，１）乃至１０１−（Ｎ，Ｍ）のうちの第Ｍ行目の画素１０１−（１，Ｍ）乃至１０１−（Ｎ，Ｍ）は、走査線ＷＳＬ１０−Ｍでライトスキャナ１０４と、電源線ＤＳＬ１０−Ｍで電源スキャナ１０５とそれぞれ接続されている。画素１０１−（１，１）乃至１０１−（Ｎ，Ｍ）の行方向に並ぶその他の画素１０１についても同様である。
【００２７】
また、画素１０１−（１，１）乃至１０１−（Ｎ，Ｍ）のうちの第１列目の画素１０１−（１，１）乃至１０１−（１，Ｍ）は、映像信号線ＤＴＬ１０−１で水平セレクタ１０３と接続されている。画素１０１−（１，１）乃至１０１−（Ｎ，Ｍ）のうちの第Ｎ列目の画素１０１−（Ｎ，１）乃至１０１−（Ｎ，Ｍ）は、映像信号線ＤＴＬ１０−Ｎで水平セレクタ１０３と接続されている。画素１０１−（１，１）乃至１０１−（Ｎ，Ｍ）の列方向に並ぶその他の画素１０１についても同様である。
【００２８】
ライトスキャナ１０４は、走査線ＷＳＬ１０−１乃至１０−Ｍに水平周期（１Ｈ）で順次制御信号を供給して画素１０１を行単位で線順次走査する。電源スキャナ１０５は、線順次走査に合わせて電源線ＤＳＬ１０−１乃至１０−Ｍに第１電位（後述するＶｃｃ）または第２電位（後述するＶｓｓ）の電源電圧を供給する。水平セレクタ１０３は、線順次走査に合わせて各水平期間内（１Ｈ）で映像信号となる信号電位Ｖｓｉｇと基準電位Ｖｏｆｓとを切換えて列状の映像信号線ＤＴＬ１０−１乃至１０−Ｍに供給する。
【００２９】
図１のように構成されるＥＬパネル１００に、ソースドライバおよびゲートドライバからなるドライバＩＣ(Integrated Circuit)が付加されることによりパネルモジュールが構成され、さらに、パネルモジュールに、電源回路、画像ＬＳＩ(Large Scale Integration)などを付加したものが表示装置となる。ＥＬパネル１００を含む表示装置は、例えば、携帯電話機、デジタルスチルカメラ、デジタルビデオカメラ、テレビジョン受像機、プリンタ等の表示部として使用することができる。
【００３０】
図２は、図１に示したＥＬパネル１００に含まれるＮ×Ｍ個の画素１０１のうちの１つの画素１０１（画素１０１ａとする）を拡大することにより、画素１０１ａの詳細な構成を示したブロック図である。なお、図２において画素１０１ａと接続されている走査線ＷＳＬ１０、映像信号線ＤＴＬ１０、および電源線ＤＳＬ１０は、図１から明らかなように、画素１０１−（ｎ，ｍ）（ｎ＝１，２，・・・，Ｎ，ｍ＝１，２，・・・，Ｍ）に対して、走査線ＷＳＬ１０−（ｎ，ｍ）、映像信号線ＤＴＬ１０−（ｎ，ｍ）、および電源線ＤＳＬ１０−（ｎ，ｍ）となる。
【００３１】
図２に示す画素１０１ａは、サンプリング用トランジスタ２１、駆動用トランジスタ２２、保持容量２３、および有機ＥＬ素子である発光素子２４を含む。ここで、サンプリング用トランジスタ２１は、Ｎチャネル型トランジスタであり、駆動用トランジスタ２２はＰチャネル型トランジスタである。サンプリング用トランジスタ２１のゲートは走査線ＷＳＬ１０に接続し、サンプリング用トランジスタ２１のドレインが映像信号線ＤＴＬ１０に接続し、ソースが駆動用トランジスタ２２のゲートｇに接続している。
【００３２】
駆動用トランジスタ２２のソースｓは電源線ＤＳＬ１０と接続され、ドレインｄは発光素子２４のアノードと接続されている。保持容量２３は、駆動用トランジスタ２２のソースｓとゲートｇの間に接続されている。また、発光素子２４のカソードは、接地されている。
【００３３】
有機ＥＬデバイスは、電流発光素子であるため、発光素子２４に流れる電流値をコントロールすることで、発色の階調を得ることができる。図２の画素１０１ａでは、駆動用トランジスタ２２のゲート印加電圧を変化させることで、発光素子２４に流れる電流値をコントロールしている。
【００３４】
このように、画素１０１ａにおいて、発色の階調を変化させるには、駆動用トランジスタ２２のゲート印加電圧を変化させることで行われる。ＥＬパネル１００に含まれるＮ×Ｍ個の画素１０１ａ毎にゲート印加電圧を変化させることで、ＥＬパネル１００に表示される画像の発色の階調が制御される。よって、自発光デバイスを用いたパネルにおいては、そのパネルに表示させる絵柄に、電源に対する電力負荷が依存する。よって絵柄の変動に依存し、電力負荷の変動が激しくなることが想定される。そのような変動による影響から、パネルや電源を保護するために、パネル全体に対してＡＢＬにより輝度リミットが行われる。
【００３５】
ＡＢＬは、Automatic Brightness Limiterの略であり、映像信号の輝度信号を制御する機能である。ＡＢＬは、例えば、図３に示すように、映像信号を入力し、その映像信号に対するリミット処理を実行した信号を、パネルに出力するように構成される。すなわち、図示されていないアンテナなど受信され、復号などの処理がされた映像信号がＡＢＬ２０１とＡＰＬ２０２に入力される。
【００３６】
ＡＰＬは、Average Picture Levelの略であり、平均画像レベルを表す。ＡＰＬ２０２にて、映像信号に基づく１画面の平均画像レベルが算出され、そのレベルの値に応じて、ＡＢＬ２０１にて、映像信号に対して輝度信号のリミット処理が実行される。リミット処理が施された映像信号がパネル２０３に供給され、映像信号に基づく映像（画像）がパネル２０３上に表示される。このパネル２０３は、上記したＥＬパネル１００で構成することができる。
【００３７】
電源２０４は、パネル２０３に対して電力を供給する。このパネル２０３に供給される電力は、上記したように、パネル２０３に表示される絵柄に応じて変動があるが、ＡＢＬ２０１において映像信号にリミットが掛けられることにより、パネル２０３や電源２０４は保護される。
【００３８】
この場合、パネル２０３に対して電力を供給する電源２０４は、図３に示したように全画面の画素に対して１系統であるので、全画面でのＡＰＬ計測結果が用いられてＡＢＬが掛けられる。よって、この１系統の電源２０４に負荷が集中する傾向がある。パネル２０３が大画面化したり、細密化したりすると、１系統の電源２０４に負荷が集中する傾向がより強くなり、パネル２０３や電源２０４の保護が適切に行えない可能性がある。そこで、以下に説明するように、複数の電源系統を設けることで、さらなる消費電力の低減を可能とし、より細かな電力の制御が行えるようにする。
【００３９】
［第１の実施の形態について］
図４は、第１の実施の形態について説明するための図である。パネル３０１の表示領域と同じ領域を、領域３０２とする。パネル３０１には、３つの電源が接続され、それぞれの電源から、所定の画素に対して電力が供給されるように構成されている。Ｒ用電源３１１は、領域３０２内の全てのＲ画素に対して電力を供給し、Ｇ用電源３１２は、領域３０２内の全てのＧ画素に対して電力を供給し、Ｂ用電源３１３は、領域３０２内の全てのＢ画素に対して電力を供給する構成とされている。
【００４０】
ここでは、Ｒ、Ｇ、Ｂはそれぞれ赤 (Red)、緑 (Green)、青 (Blue) の３つの原色を表し、これらの３原色を混ぜて幅広い色を再現する加法混色を用いて画像を表示する場合を例に挙げて説明する。しかしながら、本技術が、３原色の場合に限定されることを示す記載ではない。本技術は、複数の色で画像を表示するときに用いることができる。
【００４１】
図４に示したように、パネル３０１を構成するＲ画素、Ｇ画素、Ｂ画素のそれぞれに対して独立に電源を設ける（３系統の電源を設ける）ことで、Ｒ画素、Ｇ画素、Ｂ画素に一括して電力を供給する１系統の電源を設けるよりも、１つの電源に負荷が集中してしまうことを防ぎ、負荷を分散させることが可能となる。
【００４２】
第１の実施の形態においては、このように、複数の自発光デバイスから構成され、画像や映像を表示するパネル３０１上の複数の自発光デバイスの色毎に電力を供給する複数の電源が備えられている。
【００４３】
このように複数の電源を設けた場合、映像信号の輝度信号を制御する機能であるＡＢＬと、ＡＢＬが制御を行うための平均画像レベル（ＡＰＬ）を算出するためのシステムは、図５に示したようなシステムとなる。図５に示したシステムは、ＡＢＬ３３１とＡＰＬ算出部３３２から構成されている。ＡＢＬ３３１は、上記した場合と同じく、入力される映像信号の輝度信号を制御する機能を有する。具体的には、入力された映像信号に対して、ＡＰＬ算出部３３２から供給される平均画像レベル値からパネル輝度（電流量）に応じたＡＢＬ量を決定し、補正を掛ける。
【００４４】
ＡＢＬ３３１は、Ｒ補正部３４１、Ｇ補正部３４２、およびＢ補正部３４３を含む構成とされる。Ｒ補正部３４１は、入力された信号のうちのＲ（赤）に係わる信号（以下、Ｒ信号と記述する）に補正を掛ける。Ｇ補正部３４２は、入力された信号のうちのＧ（緑）に係わる信号（以下、Ｇ信号と記述する）に補正を掛ける。Ｂ補正部３４３は、入力された信号のうちのＢ（青）に係わる信号（以下、Ｂ信号と記述する）に補正を掛ける。
【００４５】
ＡＰＬ算出部３３２は、平均画像レベルを算出する。ＡＰＬ算出部３３２は、ＲＧＢレベル全画面平均算出部３５１、Ｒレベル全画面平均算出部３５２、Ｇレベル全画面平均算出部３５３、Ｂレベル全画面平均算出部３５４、選択回路３５５、および選択回路３５６を含む構成とされている。
【００４６】
ＲＧＢレベル全画面平均算出部３５１は、領域３０２内の全てのＲ画素、Ｇ画素、Ｂ画素のレベル（以下、ＲＧＢレベルと記述する）の平均値を算出する。Ｒレベル全画面平均算出部３５２は、領域３０２内の全てのＲ画素のレベル（以下、Ｒレベルと記述する）の平均値を算出する。Ｇレベル全画面平均算出部３５３は、領域３０２内の全てのＧ画素のレベル（以下、Ｇレベルと記述する）の平均値を算出する。Ｂレベル全画面平均算出部３５４は、領域３０２内の全てのＢ画素のレベル（以下、Ｂレベルと記述する）の平均値を算出する。
【００４７】
このように、Ｒ画素、Ｇ画素、Ｂ画素の３系統の電源を設けた場合、それぞれの画素におけるレベルの平均値を算出する、Ｒレベル全画面平均算出部３５２、Ｇレベル全画面平均算出部３５３、およびＢレベル全画面平均算出部３５４が設けられる。また、Ｒ画素、Ｇ画素、Ｂ画素のそれぞれにおけるレベルの平均値を算出するＲＧＢレベル全画面平均算出部３５１が設けられる。
【００４８】
Ｒレベル全画面平均算出部３５２において算出されたＲレベルの全画面における平均値、Ｇレベル全画面平均算出部３５３において算出されたＧレベルの全画面における平均値、およびＢレベル全画面平均算出部３５４において算出されたＢレベルの全画面における平均値は、選択回路３５５に供給される。選択回路３５５においては、入力された平均値のうち、最大値の平均値が選択され、その平均値が、選択回路３５６に出力される。
【００４９】
選択回路３５６には、ＲＧＢレベル全画面平均算出部３５１において算出された全画面におけるＲＧＢレベルの平均値も入力される。選択回路３５６は、ＲＧＢレベル全画面平均算出部３５１からの平均値と、選択回路３５５からの平均値の内、大きい値の平均値を、ＡＰＬ量として、ＡＢＬ３３１に出力する。ＡＢＬ３３１は、供給されたＡＰＬ量から、パネル輝度（電流量）に応じたＡＢＬ量を決定し、Ｒ補正部３４１、Ｇ補正部３４２、およびＢ補正部３４３の各部にて入力された信号に対して補正を掛ける。
【００５０】
このように、電源を複数設けた場合、その設けられている電源の数とＡＰＬの算出条件を連動させることで、１箇所の電源に負荷を集中させずに、かつＡＢＬの動作を適切に実現することが可能となる。
【００５１】
第１の実施の形態の場合、Ｒ用電源３１１、Ｇ用電源３１２、Ｂ用電源３１３という３系統の電源を設け、それらの各電源に掛かる負荷を、間接的に測定するＲレベル全画面平均算出部３５２、Ｇレベル全画面平均算出部３５３、Ｂレベル全画面平均算出部３５４を設けた。
【００５２】
このような構成とすることで、電力の負荷を、色毎に計測することができるため、より細かく行う電力の制御を行うことが可能となる。また、電源を分散することにより電源の保護を行うことができ、さらに各電源の負荷を計測し、適切なＡＢＬを掛けることが可能となるため、より適切な電源やパネルの保護を行うことが可能となる。
【００５３】
［第２の実施の形態について］
図６は、第２の実施の形態について説明するための図である。パネル４０１の表示領域と同一の領域を、領域４０２とする。パネル４０１には、２つの電源が接続され、それぞれの電源から、所定の画素に対して電力が供給されるように構成されている。Ｒ用電源４１１は、領域４０２内の全てのＲ画素に対して電力を供給し、ＧＢ用電源４１２は、領域４０２内の全てのＧ画素とＢ画素に対して電力を供給する構成とされている。
【００５４】
図６に示したように、パネル４０１を構成するＲ画素に対する電源と、Ｇ画素とＢ画素に対する電源の２系統の電源を設けることで、Ｒ画素、Ｇ画素、Ｂ画素に一括して電力を供給する１系統の電源を設けるよりも、１つの電源に負荷が集中してしまうことを防ぎ、負荷を分散させることが可能となる。
【００５５】
第２の実施の形態においては、このように、複数の自発光デバイスから構成され、画像や映像を表示するパネル４０１上の複数の自発光デバイスの色の組み合わせ毎に電力を供給する複数の電源が備えられている。
【００５６】
このように２系統の電源を設けた場合、映像信号の輝度信号を制御する機能であるＡＢＬと、ＡＢＬが制御を行うための平均画像レベル（ＡＰＬ）を算出するためのシステムは、図７に示したようなシステムとなる。基本的な構成は、第１の実施の形態の場合と同じであるので、適宜説明を省略する。
【００５７】
図７に示したシステムは、ＡＢＬ４３１とＡＰＬ算出部４３２から構成されている。ＡＢＬ４３１は、入力された映像信号に対して、ＡＰＬ算出部４３２から供給されるレベルの平均値からパネル輝度（電流量）に応じたＡＢＬ量を決定し、補正を掛ける。ＡＢＬ４３１は、Ｒ補正部４４１、Ｇ補正部４４２、およびＢ補正部４４３を含む構成とされる。Ｒ補正部４４１は、入力されたＲ信号に補正を掛け、Ｇ補正部４４２は、入力されたＧ信号に補正を掛け、Ｂ補正部４４３は、入力されたＢ信号に補正を掛ける。
【００５８】
ＡＰＬ算出部４３２は、平均画像レベルを算出する。ＡＰＬ算出部４３２は、ＲＧＢレベル全画面平均算出部４５１、Ｒレベル全画面平均算出部４５２、ＧＢレベル全画面平均算出部４５３、選択回路４５４、および選択回路４５５を含む構成とされている。
【００５９】
ＲＧＢレベル全画面平均算出部４５１は、領域４０２内の全てのＲ画素、Ｇ画素、Ｂ画素のレベルの平均値を算出する。Ｒレベル全画面平均算出部４５２は、領域４０２内の全てのＲ画素のレベルの平均値を算出する。ＧＢレベル全画面平均算出部４５３は、領域４０２内の全てのＧ画素とＢ画素のレベルの平均値を算出する。
【００６０】
このように、Ｒ画素用の電源と、Ｇ画素とＢ画素用の電源の２系統の電源を設けた場合、Ｒ画素のレベルの平均値を算出するＲレベル全画面平均算出部４５２、Ｇ画素とＢ画素のレベルの平均値を算出するＧＢレベル全画面平均算出部４５３が設けられる。また、Ｒ画素、Ｇ画素、Ｂ画素のそれぞれにおけるレベルの平均値を算出するＲＧＢレベル全画面平均算出部４５１が設けられる。
【００６１】
Ｒレベル全画面平均算出部４５２において算出されたＲレベルの全画面における平均値、ＧＢレベル全画面平均算出部４５３において算出されたＧレベルとＢレベルの全画面における平均値は、選択回路４５４に供給される。選択回路４５４においては、入力された平均値のうち、最大値の平均値が選択され、その平均値が、選択回路４５５に出力される。
【００６２】
選択回路４５５には、ＲＧＢレベル全画面平均算出部４５１において算出された全画面におけるレベルの平均値も入力される。選択回路４５５は、ＲＧＢレベル全画面平均算出部４５１からの平均値と、選択回路４５５からの平均値の内、大きい値の平均値を、ＡＰＬ量として、ＡＢＬ４３１に出力する。ＡＢＬ４３１は、供給されたＡＰＬ量から、パネル輝度（電流量）に応じたＡＢＬ量を決定し、Ｒ補正部４４１、Ｇ補正部４４２、およびＢ補正部４４４の各部にて入力された信号に対して補正を掛ける。
【００６３】
このように、電源を複数設けた場合、その設けられている電源の数とＡＰＬの算出条件を連動させることで、１箇所の電源に負荷を集中させずに、かつＡＢＬの動作を実現することが可能となる。
【００６４】
第２の実施の形態の場合、Ｒ用電源４１１とＧＢ用電源４１２の２系統の電源を設け、それらの各電源に掛かる負荷を、間接的に測定するＲレベル全画面平均算出部４５２とＧＢレベル全画面平均算出部４５３を設けた。
【００６５】
このような構成とすることで、電力の負荷を、色の組み合わせ毎に計測することができるため、より細かく行う電力の制御を行うことが可能となる。また、電源を分散することにより電源の保護を行うことができ、さらに各電源の負荷を計測し、適切なＡＢＬを掛けることが可能となるため、より適切な電源やパネルの保護を行うことが可能となる。
【００６６】
［第３の実施の形態について］
図８は、第３の実施の形態について説明するための図である。パネル５０１の表示領域の左側半分の領域を領域５０２とし、右側半分の領域を領域５０３とする。パネル５０１には、２つの電源が接続され、それぞれの電源から、所定の画素に対して電力が供給されるように構成されている。左画面用電源５１１は、領域５０２内の全てのＲ画素、Ｇ画素、およびＢ画素に対して電力を供給し、右画面用電源５１２は、領域５０３内の全ての、Ｒ画素、Ｇ画素、およびＢ画素に対して電力を供給する構成とされている。
【００６７】
図８に示したように、パネル５０１の左側に位置する画素に対する電源と、右側に位置する画素に対する電源の２系統の電源を設けることで、パネル全体の画素に一括して電力を供給する１系統の電源を設けるよりも、１つの電源に負荷が集中してしまうことを防ぎ、負荷を分散させることが可能となる。
【００６８】
第３の実施の形態においては、このように、複数の自発光デバイスから構成され、画像や映像を表示するパネル５０１を複数の領域に分割し、それらの領域毎内の自発光デバイス毎に電力を供給する複数の電源が備えられている。
【００６９】
このように２系統の電源を設けた場合、映像信号の輝度信号を制御する機能であるＡＢＬと、ＡＢＬが制御を行うための平均画像レベル（ＡＰＬ）を算出するためのシステムは、図９に示したようなシステムとなる。基本的な構成は、第１または第２の実施の形態の場合と同じであるので、適宜説明を省略する。
【００７０】
図９に示したシステムは、ＡＢＬ５３１とＡＰＬ算出部５３２から構成されている。ＡＢＬ５３１は、入力された映像信号に対して、ＡＰＬ算出部５３２から供給されるレベルの平均値からパネル輝度（電流量）に応じたＡＢＬ量を決定し、補正を掛ける。ＡＢＬ５３１は、Ｒ補正部５４１、Ｇ補正部５４２、およびＢ補正部５４３を含む構成とされる。Ｒ補正部５４１は、入力されたＲ信号に補正を掛け、Ｇ補正部５４２は、入力されたＧ信号に補正を掛け、Ｂ補正部５４３は、入力されたＢ信号に補正を掛ける。
【００７１】
ＡＰＬ算出部５３２は、平均画像レベルを算出する。ＡＰＬ算出部５３２は、ＲＧＢレベル全画面平均算出部５５１、ＲＧＢレベル左画面平均算出部５５２、ＲＧＢレベル右画面平均算出部５５３、選択回路５５４、および選択回路５５５を含む構成とされている。
【００７２】
ＲＧＢレベル全画面平均算出部５５１は、領域５０２内の全てのＲ画素、Ｇ画素、Ｂ画素のレベルの平均値を算出する。ＲＧＢレベル右画面平均算出部５５２は、パネル５０１の左側の領域５０２内の全てのＲ画素、Ｇ画素、Ｂ画素のレベルの平均値を算出する。ＲＧＢレベル右画面平均算出部５５３は、パネル５０１の右側の領域５０３内の全てのＲ画素、Ｇ画素、Ｂ画素のレベルの平均値を算出する。
【００７３】
パネル５０１の左側の領域５０２内の画素であるのか、右側の領域５０３内の画素であるのかを判断するために、ＡＰＬ算出部５３２には、映像信号と共に、入力されている画素（レベル）が位置する位置情報も入力される。この位置情報に基づき、ＲＧＢレベル左画面平均算出部５５２とＲＧＢレベル右画面平均算出部５５３は、自己が処理すべき画素であるか否かを判断し、処理すべき画素であると判断したときだけ処理する（加算する）。
【００７４】
ＲＧＢレベル左画面平均算出部５５２とＲＧＢレベル右画面平均算出部５５３の前段にスイッチを設け、そのスイッチが、位置情報に基づき切り換えられることで、ＲＧＢレベル左画面平均算出部５５２とＲＧＢレベル右画面平均算出部５５３に、それぞれの部で処理される画素（レベル）が供給されるようにしても良い。
【００７５】
このように、左画面用の電源と、右画面用の電源の２系統の電源を設けた場合、左画面内の画素レベルの平均値を算出するＲＧＢレベル左画面平均算出部５５２と、右画面内の画素レベルの平均値を算出するＲＧＢレベル右画面平均算出部５５３が設けられる。また、全画面の画素のレベルの平均値を算出するＲＧＢレベル全画面平均算出部５５１が設けられる。
【００７６】
ＲＧＢレベル左画面平均算出部５５２において算出されたＲレベル、Ｇレベル、Ｂレベルの左画面における平均値と、ＲＧＢレベル右画面平均算出部５５３において算出されたＲレベル、Ｇレベル、Ｂレベルの右画面における平均値は、選択回路５５４に供給される。選択回路５５４においては、入力された平均値のうち、大きい値の平均値が選択され、選択回路５５５に出力される。
【００７７】
選択回路５５５には、ＲＧＢレベル全画面平均算出部５５１において算出された全画面におけるレベルの平均値も入力される。選択回路５５５は、ＲＧＢレベル全画面平均算出部５５１からの平均値と、選択回路５５４からの平均値の内、大きい値の平均値を、ＡＰＬ量として、ＡＢＬ５３１に出力する。ＡＢＬ５３１は、供給されたＡＰＬ量から、パネル輝度（電流量）に応じたＡＢＬ量を決定し、Ｒ補正部５４１、Ｇ補正部５４２、およびＢ補正部５４３の各部にて入力された信号に対して補正を掛ける。
【００７８】
このように、電源を複数設けた場合、その設けられている電源の数とＡＰＬの算出条件を連動させることで、１箇所の電源に負荷を集中させずに、かつＡＢＬの動作を実現することが可能となる。
【００７９】
第３の実施の形態の場合、左画面用電源５１１と右画面用電源５１２の２系統の電源を設け、それらの各電源に掛かる負荷を、間接的に測定するＲＧＢレベル左画面平均算出部５５２とＲＧＢレベル右画面平均算出部５５３を設けた。
【００８０】
このような構成とすることで、電力の負荷を、領域毎に計測することができるため、より細かく行う電力の制御を行うことが可能となる。また、電源を分散することにより電源の保護を行うことができ、さらに各電源の負荷を計測し、適切なＡＢＬを掛けることが可能となるため、より適切な電源やパネルの保護を行うことが可能となる。
【００８１】
［第４の実施の形態について］
図１０は、第４の実施の形態について説明するための図である。パネル６０１の表示領域の上側半分の領域を領域６０２とし、下側半分の領域を領域６０３とする。パネル６０１には、２つの電源が接続され、それぞれの電源から、所定の画素に対して電力が供給されるように構成されている。上画面用電源６１１は、領域６０２内の全てのＲ画素、Ｇ画素、およびＢ画素に対して電力を供給し、下画面用電源６１２は、領域６０３内の全ての、Ｒ画素、Ｇ画素、およびＢ画素に対して電力を供給する構成とされている。
【００８２】
図１０に示したように、パネル６０１の上側に位置する画素に対する電源と、下側に位置する画素に対する電源の２系統の電源を設けることで、パネル全体の画素に一括して電力を供給する１系統の電源を設けるよりも、１つの電源に負荷が集中してしまうことを防ぎ、負荷を分散させることが可能となる。
【００８３】
第４の実施の形態においては、このように、複数の自発光デバイスから構成され、画像や映像を表示するパネル６０１を複数の領域に分割し、それらの領域毎内の自発光デバイス毎に電力を供給する複数の電源が備えられている。
【００８４】
このように２系統の電源を設けた場合、映像信号の輝度信号を制御する機能であるＡＢＬと、ＡＢＬが制御を行うための平均画像レベル（ＡＰＬ）を算出するためのシステムは、図９に示したようなシステムとなる。基本的な構成は、第１乃至第３の実施の形態の場合と同じであるので、適宜説明を省略する。
【００８５】
図１１に示したシステムは、ＡＢＬ６３１とＡＰＬ算出部６３２から構成されている。ＡＢＬ６３１は、入力された映像信号に対して、ＡＰＬ算出部６３２から供給されるレベルの平均値からパネル輝度（電流量）に応じたＡＢＬ量を決定し、補正を掛ける。ＡＢＬ６３１は、Ｒ補正部６４１、Ｇ補正部６４２、およびＢ補正部６４３を含む構成とされる。Ｒ補正部６４１は、入力されたＲ信号に補正を掛け、Ｇ補正部６４２は、入力されたＧ信号に補正を掛け、Ｂ補正部６４３は、入力されたＢ信号に補正を掛ける。
【００８６】
ＡＰＬ算出部６３２は、平均画像レベルを算出する。ＡＰＬ算出部６３２は、ＲＧＢレベル全画面平均算出部６５１、ＲＧＢレベル上画面平均算出部６５２、ＲＧＢレベル下画面平均算出部６５３、選択回路６５４、および選択回路６５５を含む構成とされている。
【００８７】
ＲＧＢレベル全画面平均算出部６５１は、領域６０２内の全てのＲ画素、Ｇ画素、Ｂ画素のレベルの平均値を算出する。ＲＧＢレベル上画面平均算出部６５２は、パネル６０１の上側の領域６０２内の全てのＲ画素、Ｇ画素、Ｂ画素のレベルの平均値を算出する。ＲＧＢレベル下画面平均算出部６５３は、パネル６０１の下側の領域６０３内の全てのＲ画素、Ｇ画素、Ｂ画素のレベルの平均値を算出する。
【００８８】
パネル６０１の上側の領域６０２内の画素であるのか、下側の領域６０３内の画素であるのかを判断するために、ＡＰＬ算出部６３２には、映像信号と共に、入力されている画素（レベル）が位置する位置情報も入力される。この位置情報に基づき、ＲＧＢレベル上画面平均算出部６５２とＲＧＢレベル下画面平均算出部６５３は、自己が処理すべき画素であるか否かを判断し、処理すべき画素であると判断したときだけ処理する（加算する）。
【００８９】
この第４の実施の形態の場合も、第３の実施の形態と同じく、ＲＧＢレベル上画面平均算出部６５２とＲＧＢレベル下画面平均算出部６５３の前段にスイッチを設ける構成とすることができる。そして、そのスイッチが、位置情報に基づき切り換えられることで、ＲＧＢレベル上画面平均算出部６５２とＲＧＢレベル下画面平均算出部６５３に、それぞれの部で処理される画素が供給されるようにしても良い。
【００９０】
このように、上画面用の電源と、下画面用の電源の２系統の電源を設けた場合、上画面内の画素レベルの平均値を算出するＲＧＢレベル上画面平均算出部６５２と、下画面内の画素レベルの平均値を算出するＲＧＢレベル下画面平均算出部６５３が設けられる。また、全画面の画素のレベルの平均値を算出するＲＧＢレベル全画面平均算出部６５１が設けられる。
【００９１】
ＲＧＢレベル上画面平均算出部６５２において算出されたＲレベル、Ｇレベル、Ｂレベルの上画面における平均値と、ＲＧＢレベル下画面平均算出部６５３において算出されたＲレベル、Ｇレベル、Ｂレベルの下画面における平均値は、選択回路６５４に供給される。選択回路６５４においては、入力された平均値のうち、大きい値の平均値が選択され、選択回路６５５に出力される。
【００９２】
選択回路６５５には、ＲＧＢレベル全画面平均算出部６５１において算出された全画面におけるレベルの平均値も入力される。選択回路６５５は、ＲＧＢレベル全画面平均算出部６５１からの平均値と、選択回路６５４からの平均値の内、大きい値の平均値を、ＡＰＬ量として、ＡＢＬ６３１に出力する。ＡＢＬ６３１は、供給されたＡＰＬ量から、パネル輝度（電流量）に応じたＡＢＬ量を決定し、Ｒ補正部６４１、Ｇ補正部６４２、およびＢ補正部６４３の各部にて入力された信号に対して補正を掛ける。
【００９３】
このように、電源を複数設けた場合、その設けられている電源の数とＡＰＬの算出条件を連動させることで、１箇所の電源に負荷を集中させずに、かつＡＢＬの動作を実現することが可能となる。
【００９４】
第４の実施の形態の場合、上画面用電源６１１と下画面用電源６１２の２系統の電源を設け、それらの各電源に掛かる負荷を、間接的に測定するＲＧＢレベル上画面平均算出部６５２とＲＧＢレベル下画面平均算出部６５３を設けた。
【００９５】
このような構成とすることで、電力の負荷を、色の組み合わせ毎に計測することができるため、より細かく行う電力の制御を行うことが可能となる。また、電源を分散することにより電源の保護を行うことができ、さらに各電源の負荷を計測し、適切なＡＢＬを掛けることが可能となるため、より適切な電源やパネルの保護を行うことが可能となる。
【００９６】
［第５の実施の形態について］
図１２は、第５の実施の形態について説明するための図である。パネル７０１の表示領域と同じ大きさの領域を領域７０２とし、パネル７０１の左側半分の領域を領域７０３とし、パネル７０１の右側半分の領域を領域７０４とする。パネル７０１には、３つの電源が接続され、それぞれの電源から、所定の画素に対して電力が供給されるように構成されている。Ｒ全画面用電源７１１は、領域７０２内の全てのＲ画素に対して電力を供給し、ＧＢ左画面用電源７１２は、領域７０３内の全てのＧ画素とＢ画素に対して電力を供給し、ＧＢ右画面用電源７１３は、領域７０４内の全てのＧ画素とＢ画素に対して電力を供給する構成とされている。
【００９７】
図１２に示したように、パネル７０１を構成するＲ画素、左側に位置するＧ画素とＢ画素、および右側に位置するＧ画素とＢ画素のそれぞれに対して独立に電源を設ける（３系統の電源を設ける）ことで、１画面のＲ画素、Ｇ画素、Ｂ画素の全てに一括して電力を供給する１系統の電源を設けるよりも、１つの電源に負荷が集中してしまうことを防ぎ、負荷を分散させることが可能となる。
【００９８】
第５の実施の形態においては、このように、複数の自発光デバイスから構成され、画像や映像を表示するパネル７０１を複数の領域に分割し、それらの領域毎内の自発光デバイス毎に電力を供給する複数の電源が備えられている。さらに、第５の実施の形態においては、パネル７０１の色の組み合わせ毎にも電源が設けられている。
【００９９】
このように複数の電源を設けた場合、映像信号の輝度信号を制御する機能であるＡＢＬと、ＡＢＬが制御を行うための平均画像レベル（ＡＰＬ）を算出するためのシステムは、図１３に示したようなシステムとなる。図１３に示したシステムは、ＡＢＬ７３１とＡＰＬ算出部７３２から構成されている。ＡＢＬ７３１は、入力された映像信号に対して、ＡＰＬ算出部７３２から供給される平均画像レベル値からパネル輝度（電流量）に応じたＡＢＬ量を決定し、補正を掛ける。
【０１００】
ＡＢＬ７３１は、Ｒ補正部７４１、Ｇ補正部７４２、およびＢ補正部７４３を含む構成とされる。Ｒ補正部７４１は、入力された信号のうちのＲ信号に補正を掛け、Ｇ補正部７４２は、入力された信号のうちのＧ信号に補正を掛け、Ｂ補正部７４３は、入力された信号のうちのＢ信号に補正を掛ける。
【０１０１】
ＡＰＬ算出部７３２は、平均画像レベルを算出する。ＡＰＬ算出部７３２は、ＲＧＢレベル全画面平均算出部７５１、Ｒレベル全画面平均算出部７５２、ＧＢレベル左画面平均算出部７５３、ＧＢレベル右画面平均算出部７５４、選択回路７５５、および選択回路７５６を含む構成とされている。
【０１０２】
ＲＧＢレベル全画面平均算出部７５１は、領域７０２内の全てのＲ画素、Ｇ画素、Ｂ画素のレベルの平均値を算出する。Ｒレベル全画面平均算出部７５２は、領域７０２内の全てのＲレベルの平均値を算出する。ＧＢレベル左画面平均算出部７５３は、領域７０３内のＧレベルとＧレベルの平均値を算出する。ＧＢレベル右画面平均算出部７５４は、領域７０４内のＧレベルとＢレベルの平均値を算出する。
【０１０３】
このように、パネル７０１内の全Ｒ画素に対する電源、パネル７０１内の左側に位置するＧ画素とＢ画素に対する電源、およびパネル７０１内の右側に位置するＧ画素とＢ画素に対する電源の３系統の電源を設けた場合、それぞれの画素におけるレベルの平均値を算出する、Ｒレベル全画面平均算出部７５２、ＧＢレベル左画面平均算出部７５３、およびＧＢレベル右画面平均算出部７５４が設けられる。また、Ｒ画素、Ｇ画素、Ｂ画素のレベルの平均値を算出するＲＧＢレベル全画面平均算出部７５１が設けられる。
【０１０４】
Ｒレベル全画面平均算出部７５２において算出されたＲレベルの全画面における平均値、ＧＢレベル左画面平均算出部７５３において算出されたＧレベルとＢレベルの左画面における平均値、およびＧＢレベル右画面平均算出部７５４において算出されたＧレベルとＢレベルの右画面における平均値は、選択回路７５５に供給される。選択回路７５５においては、入力された平均値のうち、最大値の平均値が選択され、その平均値が、選択回路７５６に出力される。
【０１０５】
選択回路７５６には、ＲＧＢレベル全画面平均算出部７５１において算出された全画面におけるレベルの平均値も入力される。選択回路７５６は、ＲＧＢレベル全画面平均算出部７５１からの平均値と、選択回路７５５からの平均値の内、大きい値の平均値を、ＡＰＬ量として、ＡＢＬ７３１に出力する。ＡＢＬ７３１は、供給されたＡＰＬ量から、パネル輝度（電流量）に応じたＡＢＬ量を決定し、Ｒ補正部７４１、Ｇ補正部７４２、およびＢ補正部７４３の各部にて入力された信号に対して補正を掛ける。
【０１０６】
このように、電源を複数設けた場合、その設けられている電源の数とＡＰＬの算出条件を連動させることで、１箇所の電源に負荷を集中させずに、かつＡＢＬの動作を実現することが可能となる。
【０１０７】
第５の実施の形態の場合、Ｒ全画面用電源７１１、ＧＢ左画面用電源７１２、ＧＢ右画面用電源７１３という３系統の電源を設け、それらの各電源に掛かる負荷を、間接的に測定するＲレベル全画面平均算出部７５２、ＧＢレベル左画面平均算出部７５３、ＧＢレベル右画面平均算出部７５４を設けた。
【０１０８】
このような構成とすることで、電力の負荷を、色の組み合わせ毎と領域毎に計測することができるため、より細かく行う電力の制御を行うことが可能となる。また、電源を分散することにより電源の保護を行うことができ、さらに各電源の負荷を計測し、適切なＡＢＬを掛けることが可能となるため、より適切な電源やパネルの保護を行うことが可能となる。
【０１０９】
このように、本実施の形態においては、パネルを構成する画素（自発光デバイス）に電力を供給する電源を複数設けることで、１つの電源に負荷が集中するようなことを防ぐことが可能となる。また、複数の電源を設けるだけでなく、その複数の電源のそれぞれに対応し、各電源に係る負荷を間接的に計測する機能（APLを算出する機能）を設けることで、複数の電源を設けたときのＡＢＬ動作を適切に行うことが可能となる。
【０１１０】
上述した実施の形態においては、電源を２または３個設ける場合を例に挙げて説明したが、３個以上の電源を設けるようにしても、勿論良い。また、３個以上の電源を設けるようにした場合、その個数に対応してAPLを算出する機能も設けられる。
【０１１１】
また上述した実施の形態においては、パネルを上下方向に分割した場合や、左右方向に分割した場合を例に挙げて説明したが、それ以外のパネルの分割に対しても本技術を適用できる。例えば、上部分、中央部分、下部分の３つに分割したり、さらに細かな分割を行ったりしたりしたときに対しても、本技術は適用できる。そのような場合、その分割に合わせて電源が設けられ、APLを算出する機能も設けられる。
【０１１２】
また上述した実施の形態においては、パネルを分割する際、上下方向や左右方向に分割する例を挙げて説明したが、ドライバ毎に分割するようにしてもよい。ドライバ毎に分割するようにした場合、１つのドライバに対して１つの電源が接続されるようにしてもよいが、複数のドライバに対して１つの電下が接続されるように構成することも可能である。
【０１１３】
［記録媒体について］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１１４】
図１４は、上述した一連の処理をプログラムにより実行するコンピュータのハードウエアの構成例を示すブロック図である。コンピュータにおいて、ＣＰＵ（Central Processing Unit）１００１、ＲＯＭ（Read Only Memory）１００２、ＲＡＭ（Random Access Memory）１００３は、バス１００４により相互に接続されている。バス１００４には、さらに、入出力インタフェース１００５が接続されている。入出力インタフェース１００５には、入力部１００６、出力部１００７、記憶部１００８、通信部１００９、およびドライブ１０１０が接続されている。
【０１１５】
入力部１００６は、キーボード、マウス、マイクロフォンなどよりなる。出力部１００７は、ディスプレイ、スピーカなどよりなる。記憶部１００８は、ハードディスクや不揮発性のメモリなどよりなる。通信部１００９は、ネットワークインタフェースなどよりなる。ドライブ１０１０は、磁気ディスク、光ディスク、光磁気ディスク、又は半導体メモリなどのリムーバブルメディア１０１１を駆動する。
【０１１６】
以上のように構成されるコンピュータでは、ＣＰＵ１００１が、例えば、記憶部１００８に記憶されているプログラムを、入出力インタフェース１００５及びバス１００４を介して、ＲＡＭ１００３にロードして実行することにより、上述した一連の処理が行われる。
【０１１７】
コンピュータ（ＣＰＵ１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１１８】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ＲＯＭ１００２や記憶部１００８に、あらかじめインストールしておくことができる。
【０１１９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２０】
また、本明細書において、システムとは、複数の装置により構成される装置全体を表すものである。
【０１２１】
なお、本技術の実施の形態は、上述した実施の形態に限定されるものではなく、本技術の要旨を逸脱しない範囲において種々の変更が可能である。
【０１２２】
なお、本技術は以下のような構成も取ることができる。
【０１２３】
（１）
複数の自発光デバイスから構成される表示部と、
前記複数の自発光デバイスの色毎に、または色の組み合わせ毎に電力を供給する複数の電力供給部と
を備える表示装置。
【０１２４】
（２）
前記表示部を複数の領域に分割し、前記領域毎にさらに前記電力供給部を備える
前記（１）に記載の表示装置。
【０１２５】
（３）
前記複数の電力供給部の個数に対応し、ＡＰＬ（Average Picture Level）を算出するＡＰＬ算出部と、
前記ＡＰＬ算出部により算出されたＡＰＬ量に応じてＡＢＬ（Automatic Brightness Limiter）を実行するＡＢＬ部と
をさらに備える前記（１）または前記（２）に記載の表示装置。
【０１２６】
（４）
複数の自発光デバイスから構成される表示部と、前記表示部に電力を供給する電源を備える表示装置の表示方法において、
前記電源が、前記複数の自発光デバイスの色毎に、または色の組み合わせ毎に備えられ、各電源からの電力の供給を制御する
ステップを含む表示方法。
【０１２７】
（５）
複数の自発光デバイスから構成される表示部と、前記表示部に電力を供給する電源を備える表示装置に、
前記電源が、前記複数の自発光デバイスの色毎に、または色の組み合わせ毎に備えられ、各電源からの電力の供給を制御する
ステップを含む処理を実行させるためのコンピュータ読み取り可能なプログラム。
【０１２８】
（６）
複数の自発光デバイスから構成される表示部と、
前記表示部を複数の領域に分割し、前記領域毎に電力を供給する複数の電力供給部と
を備える表示装置。
【０１２９】
（７）
前記複数の自発光デバイスの色毎に、または色の組み合わせ毎にさらに前記電力供給部を備える
前記（６）に記載の表示装置。
【０１３０】
（８）
前記複数の電力供給部の個数に対応し、ＡＰＬ（Average Picture Level）を算出するＡＰＬ算出部と、
前記ＡＰＬ算出部により算出されたＡＰＬ量に応じてＡＢＬ（Automatic Brightness Limiter）を実行するＡＢＬ部と
をさらに備える前記（７）または前記（８）に記載の表示装置。
【０１３１】
（９）
複数の自発光デバイスから構成される表示部と、前記表示部に電力を供給する電源を備える表示装置の表示方法において、
前記電源が、前記表示部を複数の領域に分割し、前記領域毎に備えられ、各電源からの電力の供給を制御する
ステップを含む表示方法。
【０１３２】
（１０）
複数の自発光デバイスから構成される表示部と、前記表示部に電力を供給する電源を備える表示装置に、
前記電源が、前記表示部を複数の領域に分割し、前記領域毎に備えられ、各電源からの電力の供給を制御する
ステップを含む処理を実行させるためのコンピュータ読み取り可能なプログラム。
【符号の説明】
【０１３３】
３０１  パネル，  ３１１  Ｒ用電源，  ３１２  Ｇ用電源，  ３３１  ＡＢＬ，  ３３２  ＡＰＬ算出部，  ３４１  Ｒ補正部，  ３４２  Ｇ補正部，  ３４３  Ｂ補正部，  ３５１  ＲＧＢレベル全画面平均算出部，  ３５２  Ｒレベル全画面平均算出部，  ３５３  Ｇレベル全画面平均算出部，  ３５４  Ｂレベル全画面平均算出部  ３５５  選択回路，  ３５６  選択回路，  ４０１  パネル，  ４１１  Ｒ用電源，  ４１２  ＧＢ用電源，  ４３１  ＡＢＬ，  ４３２  ＡＰＬ算出部，  ４４１  Ｒ補正部，  ４４２  Ｇ補正部，  ４４３  Ｂ補正部，  ４５１  ＲＧＢレベル全画面平均算出部，  ４５２  Ｒレベル全画面平均算出部，  ４５３  ＧＢレベル全画面平均算出部，  ４５４  選択回路，  ４５５  選択回路，  ５０１  パネル，  ５１１  左画面用電源，  ５１２  右画面用電源，  ５３１  ＡＢＬ，  ５３２  ＡＰＬ算出部，  ５４１  Ｒ補正部，  ５４２  Ｇ補正部，  ５４３  Ｂ補正部，  ５５１  ＲＧＢレベル全画面平均算出部，  ５５２  ＲＧＢレベル左画面平均算出部，  ５５３  ＲＧＢレベル右画面平均算出部，  ５５４  選択回路，  ５５５  選択回路，  ６０１  パネル，  ６１１  上画面用電源，  ６１２  下画面用電源，  ６３１  ＡＢＬ，  ６３２  ＡＰＬ算出部，  ６４１  Ｒ補正部，  ６４２  Ｇ補正部，  ６４３  Ｂ補正部，  ６５１  ＲＧＢレベル全画面平均算出部，  ６５２  ＲＧＢレベル上画面平均算出部，  ６５３  ＲＧＢレベル下画面平均算出部，  ６５４  選択回路，  ６５５  選択回路，  ７０１  パネル，  ７１１  Ｒ全画面用電源，  ７１２  ＧＢ左画面用電源，  ７１３  ＧＢ右画面用電源，  ７３１  ＡＢＬ，  ７３２  ＡＰＬ算出部，  ７４１  Ｒ補正部，  ７４２  Ｇ補正部，  ７４３  Ｂ補正部，  ７５１  ＲＧＢレベル全画面平均算出部，  ７５２  Ｒレベル全画面平均算出部，  ７５３  ＧＢレベル左画面平均算出部，  ７５４  ＧＢレベル右画面平均算出部  ７５５  選択回路，  ７５６  選択回路
【図１】
2012242486.tif 000003
【図２】
2012242486.tif 000004
【図３】
2012242486.tif 000005
【図４】
2012242486.tif 000006
【図５】
2012242486.tif 000007
【図６】
2012242486.tif 000008
【図７】
2012242486.tif 000009
【図８】
2012242486.tif 000010
【図９】
2012242486.tif 000011
【図１０】
2012242486.tif 000012
【図１１】
2012242486.tif 000013
【図１２】
2012242486.tif 000014
【図１３】
2012242486.tif 000015
【図１４】
2012242486.tif 000016